(57)【特許請求の範囲】
【請求項１】
ガスの送気管と連通する送気通路を有する収納室を有し、収納室は、分割ユニットによって分割区に分割され、分割区には閉塞ユニットを有し、収納室の底部に受け部を有し、受け部の底部の中央部に貫通孔を有することで、閉塞ユニットは振動があると貫通孔に落下し、貫通孔を閉塞してガス管の自動遮断機能を形成可能にし、貫通孔は縦室と繋がり、縦室はガスの排気管と連接する排気通路を有する本体と、
縦室の内に装着され、貫通孔を閉塞した後の閉塞ユニットを本来の受け部における位置に復元させる復元機構と、
を備えることを特徴とする地震対策装置。
【請求項２】
閉塞ユニットは、直径が受け部の幅より大きいことを特徴とする請求項１に記載の地震対策装置。
【請求項３】
閉塞ユニットは、貫通孔に落下してガス通路を閉じた後、閉塞ユニットの頂点が受け部より高いことを特徴とする請求項１に記載の地震対策装置。
【請求項４】
受け部は、貫通孔の端から周辺の縦壁に沿って傾斜していくことを特徴とする請求項１に記載の地震対策装置。
【請求項５】
受け部は、前縁部に環状の突起部を有することを特徴とする請求項１に記載の地震対策装置。
【請求項６】
復元機構は、一端に押出し端を有して他端に外径の比較的小さい押し棒部を有するクラウンバーを有し、クラウンバーは縦室を貫通し、押し棒部は本体に突出し、クラウンバーは胴部に漏れ止めユニットを有し、押し棒部は係合リングを有することを特徴とする請求項１に記載の地震対策装置。
【請求項７】
復元機構は、係合リングと本体の端面を押し付けるようにクラウンバーの押し棒部に装着されているスプリングを有することを特徴とする請求項６に記載の地震対策装置。
【請求項８】
クラウンバーは、非平面の押出し端を有することを特徴とする請求項６に記載の地震対策装置。
【請求項９】
貫通孔の中には弾性の漏れ止めユニットを有することを特徴とする請求項１に記載の地震対策装置。
【発明の詳細な説明】
【技術分野】
【０００１】
本発明は、ガスの安全使用に関し、特に、地震対策装置に関するものである。
【背景技術】
【０００２】
台湾は太平洋プレートと欧亜大陸プレートの境目に位置するため、地震の発生回数が頻繁であり、かつ地震の発生に伴い、ガスの漏れのせいで火災が起こって、生命と財産を失うことがよくある。地震が発生したとき、まず電源とガスのスイッチを切ることは言うまでもないが、実際の生活の中で、本当に地震が発生した時、人間の生存本能は直接現場を逃げ出すことに向けられ、大多数の人は短い数十秒の間は逃げるのに精一杯で、電源とガスのスイッチを切ることにまでなかなか思い至らない。これは、地震により火災や死傷者や物的な損害が発生する主な原因となる。
【発明の開示】
【発明が解決しようとする課題】
【０００３】
本発明の主な目的は、地震が発生した時、ガス管を自動的に遮断することを可能にし、かつ構造が簡単で、電源の必要がない地震対策装置を提供することにある。本発明は、簡易な自由落下原理によるものであるため、地震が発生した時、振動により物体を本来の位置から離脱させ、自由落下させることで、通路を閉塞してガス管を遮断する効果を達成することを可能にし、また、復元機構により物体を元の場所に復元させることで、通路を回復することを可能にする。
【課題を解決するための手段】
【０００４】
上述の目的を達成するために、本発明による地震対策装置は、本体と復元機構を備える。本体は収納室を有し、収納室がガスの送気管と連接する送気通路を有し、収納室の底部に受け部を有し、受け部が受け部の上に位置する閉塞ユニットを少なくとも一つ有し、受け部の底部に貫通孔を有することで、閉塞ユニットが振動により貫通孔に落下し、貫通孔を閉塞してガス管の自動遮断機能を形成することを可能にし、また、貫通孔がガスの排気管と連接する排気通路を有するものである。復元機構は、貫通孔の下方に装着され、貫通孔を閉塞した後の閉塞ユニットを本来の受け部における位置に復元させるものである。
【発明を実施するための最良の形態】
【０００５】
以下、本発明の特徴と効果を以下の三つの実施例と図面に基づいて説明する。
図１は、本発明の第一実施例の断面図である。
図２と図３は、図１と同じで、本発明の第一実施例の作動を示す断面図である。
【０００６】
図４は、図１を４−４線で切断した断面図である。
図５は、本発明の第一実施例における収納室の受け部の実施状態を示す断面図である。
図６は、本発明の第一実施例における収納室の受け部のまたもう一つの実施状態を示す断面図である。
【０００７】
図７は、本発明の第二実施例の断面図である。
図８と図９は、図７と同じで、本発明の第二実施例の作動を示す断面図である。
図１０は、図７を１０−１０線で切断した断面図である。
【０００８】
図１１は、本発明の第三実施例の断面図である。
図１２と図１３は、図１１と同じで、本発明の第三実施例の作動を示す断面図である。
【０００９】
図１に示すように、本発明の第一実施例による地震対策装置は、本体と復元機構とを備える。
本体１０は、凹んでいる収納室１１を有し、その形状が限られず、円形、方形または三角形などのいずれかでもよく、本実施例では、収容室が円形に設けられ、そして、最上端に上蓋１２を有し、内部に閉塞ユニット１３を有し、本実施例では、閉塞ユニットが珠であり、収納室にガスの送気管と連接する送気通路１４を有し、収納室の底部に貫通孔１５を有し、収納室の底部において貫通孔と縦壁との間に受け部１６を有する。本実施例は、よい閉塞効果を得るために、貫通孔の中に弾性の漏れ止めユニット１７を有し、貫通孔が縦室１８と繋がり、縦室の一側にガスの排気管と連接する排気通路１９を有する。
【００１０】
復元機構２０は、縦室１８の中に装着され、クラウンバーを有する。
クラウンバー２１は、一端に押出し端２１１を有し、本実施例では、斜面端を呈し、また、他端に外径の比較的小さい押し棒部２１２を有し、クラウンバーは押し棒部により縦室を貫通し、押し棒部は本体に突出する。また、クラウンバーは胴部に漏れ止めユニット２１３を有し、押し棒部は突出端部に係合リング２１４を有する。
【００１１】
地震が発生する時、閉塞ユニットは、受け部が地震の振動により傾斜し、地心引力が作用するため、貫通孔に落下し、貫通孔を閉塞してガス管の自動遮断機能を形成することを可能にし、復元機構はそれに対応しながら、本体との間で任意に移動し、即ち、貫通孔を閉塞した後の閉塞ユニットを貫通孔から押し出し、最初の受け部における位置に復元させることを可能にする。つまり、本体を動かさずにクラウンバーを動かすか、クラウンバーを動かさずに本体を動かすことにより、ガス管の通路を回復することを可能にするものである。
【００１２】
操作をよりいっそう簡易にするために、本実施例では、復元機構は、係合リングと本体の端面を押し付けるようにクラウンバーの押し棒部に装着されるスプリング２２を有する。
【００１３】
上述の構造により、静止状態の下で、閉塞ユニット１３は収納室の受け部１６の上に位置し、クラウンバーの斜面端はスプリング２２の作用により貫通孔１５から離れるところに位置する。地震が発生する時、閉塞ユニットは、図２に示すように、受け部が地震の振動により傾斜し、地心引力が作用するため、貫通孔に落下し、貫通孔を閉塞してガス管の自動遮断機能を形成することが可能である。ガス管の流通を回復する場合、使用者がクラウンバーの押し棒部２１２を上に押せば、クラウンバーは斜面端により閉塞ユニットを上に動かし、閉塞ユニットは貫通孔の辺縁に向かって傾斜すると同時に、受け部の高さを越えるまで上昇し、そして、斜面からの力を受けて転んで本来の受け部における位置に復元することで、図３に示すように、ガス管の流通を回復し、クラウンバーをスプリングの弾力により本来の位置に復元させることが可能である。
【００１４】
また、説明すべきところは、本実施例における収納室の受け部が水平でなくてもよいということである。図５に示すように、本実施例は、受け部を傾斜角度Ｄに設計することで、所定の角度Ｄの大小により閉塞ユニットが振動により貫通孔に落下してガス通路を閉じる場合の難しさに対応するか、また、図６に示すように、受け部の孔縁部を環状の突起部Ｇに設計することで、突起角度と高さにより閉塞ユニットが振動により貫通孔に落下してガス通路を閉じる場合の難しさに対応することを可能にして、また、クラウンバーの押出し端は斜面状に限られず、閉塞ユニットを押出し端の一側に傾かせさえすれば、押出し端を錐面状、図５または図６に示すような弧面状または球面状などのいずれにしてもよく、また、閉塞ユニットが貫通孔を離脱した後、クラウンバーの押出し端からの力と受け部の傾斜または突出縁部の作用により閉塞ユニットを本来の受け部における位置に復元させることを可能にする。
【００１５】
本発明は、第一実施例の構造の組み立てによりガス管の自動遮断機能を完成させる。図４に示すように、地震による振動方向は一定の方向に限らないため、地震による振動方向が図中矢印Ａに示す方向である場合、閉塞ユニットは貫通孔に落下して所定の機能を果たせるが、地震による振動方向が図中矢印Ｂに示す方向である場合、閉塞ユニットは受け部に沿って収納室内を回るため、貫通孔に落下して所定の機能を果たすには時間がかかるか、比較的大きい振動が必要である。その点に対して、本発明は、第二実施例を提出する。
【００１６】
図７から図１０に示すように、本発明の第二実施例による地震対策装置は構造が第一実施例に近似するが、違うことろは、復元機構２０の中にスリーブ２３が増設され、かつねじまたは接着剤により縦室の出口端に固定され、そして、スリーブ中にスリーブを貫通するガイド孔２３１を有し、ガイド孔の貫通箇所に内径の比較的小さい肩面２３２を有し、クラウンバー２１がガイド孔を貫通することである。
【００１７】
第二実施例は、本体の収納室の中に閉塞ユニットを四つ有し、そのほかに上蓋１２と受け部１６との間に装着される分割ユニット３０を有し、分割ユニットの上にガス気体を流通させるための孔を有し、分割ユニットの底部に若干の分割凸部３１（本実施例では四つの分割凸部）を有することで、図１０に示すように、収納室が四つの分割区３２に分割され、四つの閉塞ユニットが四つの分割区に分けられる。また、分割区は二つか三つにしてもよい。
【００１８】
したがって、地震による振動方向がどちらの方向に向かっても、少なくともの一つの閉塞ユニットが振動方向にあって貫通孔に落下して、ガス管の自動遮断機能を達成することが可能である。
【００１９】
そして、数個の閉塞ユニットが地震により同時に貫通孔に落下するため、ガスの通路を回復するには数個の閉塞ユニットを本来の位置に復元させ難いという問題点に対し、本実施例は、受け部１６の幅を閉塞ユニット１３の直径より、貫通孔内の弾性の漏れ止めユニット１７と受け部１６との間の距離を閉塞ユニット１３の直径より小さくすることで、閉塞ユニットが貫通孔に落下して弾性の漏れ止めユニットを閉塞する時、閉塞ユニットの頂点が受け部より高い。したがって、一つの閉塞ユニットが貫通孔に落下し、貫通孔の位置を占める場合、ほかの閉塞ユニットはその閉塞ユニットの頂点により阻害され、貫通孔に落下することができなくなるため、閉塞ユニットが重なることは発生しない。
【００２０】
また、閉塞ユニットの直径が受け部の幅より大きいため、閉塞ユニットを本来の位置に復元させる場合、閉塞ユニットは、ほかの閉塞ユニットの貫通孔に突出する部分により押出され、本来の位置に向かって空いている方向に傾き、前進させられるとともに、予想外の作動を防止することが可能である。
【００２１】
また、操作をよりいっそう簡易にするために、本発明は第三実施例を提出する。図１１から図１３に示すように、本考案の第三実施例による地震対策装置によると、第一実施例により掲示される構造を備え、そのほかに本体の一側に貫通孔４０を有し、貫通孔の中にプッシュスイッチ５０を一組有し、また、貫通孔を貫通する移動棒５１を有し、移動棒の一端に本体に突出する押しボタン５２を有し、移動棒の胴部にスプリング５３を有する。
【００２２】
かつ本体はプッシュスイッチの底端と押し棒部との間にてこ５４を有するため、使用者は、上方からプッシュスイッチを押し、てこにより押し棒部２１２を動かしてクラウンバーを押出し移動させて、ガスの流通を回復することが可能である。
【図面の簡単な説明】
【００２３】
【図１】本発明の第一実施例による地震対策装置を示す断面図である。
【図２】本発明の第一実施例による地震対策装置の作動を示す断面図ある。
【図３】本発明の第一実施例による地震対策装置の作動を示す断面図である。
【図４】図１を４−４線で切断した断面図である。
【図５】本発明の第一実施例による地震対策装置の収納室の受け部の実施状態を示す断面図である。
【図６】本発明の第一実施例による地震対策装置の収納室の受け部のもう一つの実施状態を示す断面図である。
【図７】本発明の第二実施例による地震対策装置を示す断面図である。
【図８】本発明の第二実施例による地震対策装置の作動を示す断面図である。
【図９】本発明の第二実施例による地震対策装置の作動を示す断面図である。
【図１０】図７を１０−１０線で切断した断面図である。
【図１１】本発明の第三実施例による地震対策装置を示す断面図である。
【図１２】本発明の第三実施例による地震対策装置の作動を示す断面図である。
【図１３】本発明の第三実施例による地震対策装置の作動を示す断面図である。
【符号の説明】
【００２４】
１０  本体、１１  収納室、１２  上蓋、１３  閉塞ユニット、１４  送気通路、１５  貫通孔、１６  受け部、１７  漏れ止めユニット、１８  縦室、１９  排気通路、２０  復元機構、２１  クラウンバー、２２  スプリング、２３  スリーブ、３０  分割ユニット、３１  分割凸部、３２  分割区、４０  貫通孔、５０  プッシュスイッチ、５１  移動棒、５２  押しボタン、５３  スプリング、２１１  押出し端、２１２  押し棒部、２１３  漏れ止めユニット、２１４  係合リング、２３１  ガイド孔、２３２  肩面
【図１】
0004810091.tif 000002
【図２】
0004810091.tif 000003
【図３】
0004810091.tif 000004
【図４】
0004810091.tif 000005
【図５】
0004810091.tif 000006
【図６】
0004810091.tif 000007
【図７】
0004810091.tif 000008
【図８】
0004810091.tif 000009
【図９】
0004810091.tif 000010
【図１０】
0004810091.tif 000011
【図１１】
0004810091.tif 000012
【図１２】
0004810091.tif 000013
【図１３】
0004810091.tif 000014